(57)【要約】【課題】ストラップ装着部材の取り付けが簡単で、かつ組み付け工数を減らすことができるストラップ装着部材の取付構造を提供すること。【解決手段】ストラップ装着部材５に設けられた突起部７を第一ケース２の挿通孔８に挿通させ、第二ケース３に設けられた係止部材１１により、各ケースを互いに嵌め合わせて接合する際の他方のケースに対する一方のケースへの相対的な移動に伴って、突起部７を係止する。【選択図】  図３
2005031250.tif 000002
【特許請求の範囲】
【請求項１】
ストラップを装着するストラップ装着部材を筐体に取り付けるためのストラップ取付構造において、
互いに嵌め合わせて接合することにより前記筐体を形成する一対のケースを備え、
前記一方のケースに前記ストラップ装着部材が挿通される挿通孔を形成し、
前記各ケースを接合する際に、前記他方のケースに対する一方のケースへの嵌め合わせるための相対的な移動により、前記一方のケースの内側に位置する前記ストラップ装着部材の係止を行う係止部材を前記他方のケースの内側に設けたことを特徴とするストラップ装着部材の取付構造。
【請求項２】
前記ストラップ装着部材には突起部が設けられており、
前記挿通孔は、前記突起部が挿通され、
前記係止部材は、前記一方のケースの内側に位置する前記突起部の係止を行うことを特徴とする請求項１に記載のストラップ装着部材の取付構造。
【請求項３】
前記突起部には、前記各ケースを接合する際に、嵌め合わせ方向に移動する前記係止部材を受け入れる被係止部が形成されていることを特徴とする請求項２に記載のストラップ装着部材の取付構造。
【請求項４】
前記係止部材は、前記各ケースを接合する際の前記一方のケースに対する前記他方のケースの相対的な移動方向に延設されるとともに、前記被係止部は前記係止部材を受け入れる凹部を備えることを特徴とする請求項３に記載のストラップ装着部材の取付構造。
【請求項５】
前記被係止部は、前記係止部材を受け入れる溝を有することを特徴とする請求項４に記載のストラップ装着部材の取付構造。
【請求項６】
前記突起部を円筒状に形成するとともに、前記溝は、前記突起部の外周面上を一周して形成されたこと特徴とする請求項５に記載のストラップ装着部材の取付構造。
【請求項７】
前記係止部材は、延設方向先端部を二股に形成されるとともに、前記二股部の間で前記被係止部と係合すること特徴とする請求項３から請求項６のいずれかに記載のストラップ装着部材の取付構造。
【請求項８】
前記係止部材は、バネ性を有することを特徴とする請求項１から請求項７のいずれかに記載のストラップ取付構造。
【請求項９】
前記他方のケースの内側に設けられた内側板を備え、
前記係止部材は、前記内側板と一体的に成型されていることを特徴とする請求項１から請求項８のいずれかに記載のストラップ取付構造。
【発明の詳細な説明】
【０００１】
【発明の属する技術分野】
本発明は、携帯機器の使用又は収納の際に用いられるストラップを装着するストラップ装着部材を携帯機器筐体に取り付ける取付構造に関する。
【０００２】
【従来の技術】
従来から、携帯機器の使用又は収納の際に、携帯機器筐体にストラップが取り付けられていることにより、携帯機器の使用者は、このストラップを用いて手首、肩及び首そして収納空間に設けられたフック等に携帯機器を吊り下げることができるようになっており、ストラップを携帯機器筐体に取り付けることで携帯機器の安全性及び利便性の向上が図られようになっている。
【０００３】
このようなストラップを携帯機器筐体に取り付けるためにストラップが装着される装着用孔を有するストラップ装着部材が用いられている。このストラップ装着部材を携帯機器筐体に取り付ける取付構造として、例えば、第一ケースと第二ケースを備える携帯機器筐体の前記第一と第二ケースの互いに重ね合わせられた部分に、ストラップ装着部材を取り付けるため、前記ストラップ装着部材をビスで締着するストラップ装着部材の取付構造が開発されている（例えば、特許文献１）。またストラップ装着部材が回動可能に支持されるストラップ装着部材の取付構造も開発されている。
【０００４】
図５は、このようなストラップ装着部材５０が回動可能に支持されたものである。このストラップ装着部材５０には、ストラップを装着する装着用孔５３を有する円筒状のストラップ装着部５１が設けられており、ストラップ装着部材５０が携帯機器筐体５２に取り付けられた状態を示している。
【０００５】
このストラップ装着部材５０には、ストラップ装着部５１よりも小径な円筒状の突起部５４が連続して設けられており、携帯機器筐体５２には、この突起部５４のみが挿通される円形の挿通孔５５が形成されている。突起部５４の外周面上には、溝５６が一周して形成されており、溝５６には、前記ストラップ装着部材５０を係止するＥリング５７が取り付けられている。
【０００６】
【特許文献１】
特開２００２−２８７２４０号公報
【０００７】
【発明が解決しようとする課題】
しかしながら特許文献１に記載のストラップ装着部材の取付構造では、ストラップ装着部材を筐体にネジ等で固定する構成のため、ネジを取り付ける工数が必要となるという問題点がある。
【０００８】
また図５に示したようなストラップ装着部材５０の取付構造においても、Ｅリング５７を取り付ける工数が必要となるという問題点がある。
【０００９】
本発明は上記した点に鑑みてなされたものであり、ストラップ装着部材の取り付けが簡単で、かつ組み付け工数を減らすことができるストラップ装着部材の取付構造を提供することを目的とする。
【００１０】
【課題を解決するための手段】
以上の課題を解決するために、請求項１に記載のストラップ装着部材の取付構造は、ストラップを装着するストラップ装着部材を筐体に取り付けるためのストラップ取付構造において、互いに嵌め合わせて接合することにより前記筐体を形成する一対のケースを備え、前記一方のケースに前記ストラップ装着部材が挿通される挿通孔を形成し、前記各ケースを接合する際に、前記他方のケースに対する一方のケースへの嵌め合わせるための相対的な移動により、前記一方のケースの内側に位置する前記ストラップ装着部材の係止を行う係止部材を前記他方のケースの内側に設けたことを特徴としている。
【００１１】
このような構成を有する請求項１に記載の発明においては、一方のケースの内側に位置するストラップ装着部材の係止を行う係止部材が他方のケースに設けられているので、各ケースを互いに嵌め合わせて接合する際の他方のケースに対する一方のケースへの相対的な移動に伴って、前記係止部材は前記ストラップ装着部材を係止するようになっている。
【００１２】
また、請求項２に記載の発明は、請求項１に記載のストラップ装着部材の取付構造において、前記ストラップ装着部材には突起部が設けられており、前記挿通孔は、前記突起部が挿通され、前記係止部材は、前記一方のケースの内側に位置する前記突起部の係止を行うことを特徴としている。
【００１３】
このように請求項２に記載の発明は、ストラップ装着部材に突起部が設けられ、前記突起部の係止を行う係止部材が他方のケースに設けられているので、各ケースを互いに嵌め合わせて接合する際の他方のケースに対する一方のケースへの相対的な移動に伴って、前記係止部材は前記突起部を係止するようになっている。
【００１４】
また請求項３に記載の発明は、請求項２に記載のストラップ装着部材の取付構造において、前記突起部には、前記各ケースを接合する際に、嵌め合わせ方向に移動する前記係止部材を受け入れる被係止部が形成されていることを特徴としている。
【００１５】
このように、請求項３に記載の発明は、前記突起部に前記係止部材を受け入れる被係止部が形成されているので、他方のケースに設けられた係止部材は、各ケースを互いに嵌め合わせて接合する際の他方のケースに対する一方のケースへの相対的な移動に伴って、前記被係止部に受け入れられ、前記突起部を係止するようになっている。
【００１６】
さらに、請求項４に記載の発明は、請求項３に記載のストラップ装着部材の取付構造において、前記係止部材は、前記各ケースを接合する際の前記一方のケースに対する前記他方のケースの相対的な移動方向に延設されるとともに、前記被係止部は前記係止部材を受け入れる凹部を備えることを特徴としている。
【００１７】
このように、請求項４に記載の発明は、前記係止部材を前記各ケースの接合する際の前記一方のケースに対する前記他方のケースの相対的な移動方向に延設し、前記被係止部に前記係止部材を受け入れる凹部を形成しているので、他方のケースに設けられた前記係止部材は、各ケースを接合する際の他方のケースに対する一方のケースへの相対的な移動に伴って、前記凹部に受け入れられ、前記突起部を係止するようになっている。
【００１８】
また、請求項５に記載の発明は、請求項４に記載のストラップ装着部材の取付構造において、前記被係止部は、前記係止部材を受け入れる溝を有することを特徴としている。
【００１９】
このように、請求項５に記載の発明は、前記係止部材を前記各ケースの接合する際の前記一方のケースに対する前記他方のケースの相対的な移動方向に延設し、前記被係止部に前記係止部材を受け入れる凹部を有する溝を形成しているので、他方のケースに設けられた前記係止部材は、各ケースを接合する際の他方のケースに対する一方のケースへの相対的な移動に伴って、前記溝の凹部に受け入れられ、前記突起部を係止するようになっている。
【００２０】
また、請求項６に記載の発明は、請求項５に記載のストラップ装着部材の取付構造において、前記突起部を円筒状に形成するとともに、前記溝は、前記突起部の外周面上を一周して形成されたこと特徴としている。
【００２１】
このように、請求項６に記載の発明は、前記係止部材を前記各ケースの接合する際の前記一方のケースに対する前記他方のケースの相対的な移動方向に延設し、前記被係止部に前記係止部材を受け入れる前記突起部の外周面上を一周した溝を形成しているので、前記突起部の回動動作にかかわらず、他方のケースに設けられた前記係止部材は、各ケースを接合する際の他方のケースに対する一方のケースへの相対的な移動に伴って、前記溝に受け入れられ、前記突起部を係止するようになっている。
【００２２】
また、請求項７に記載の発明は、請求項３から請求項６のいずれかに記載のストラップ装着部材の取付構造において、前記係止部材は、延設方向先端部を二股に形成されるとともに、前記二股部の間で前記被係止部と係合すること特徴としている。
【００２３】
このように、請求項７に記載の発明は、前記延設方向の先端部を二股に形成された係止部材が他方のケースに設けられている。そして各ケースを接合する際の他方のケースに対する一方のケースへの相対的な移動に伴って、係止部材は二股部の間で被係止部と係合するようになっている。
【００２４】
また、請求項８に記載の発明は、請求項１から請求項７のいずれかに記載のストラップ装着部材の取付構造において、前記係止部材は、バネ性を有することを特徴としている。
【００２５】
このように、請求項８に記載の発明は、前記係止部材にバネ性を持たせたので、前記突起部に負荷が加えられるようになっている。
【００２６】
また、請求項９に記載の発明は、請求項１から請求項８のいずれかに記載のストラップ装着部材の取付構造において、前記他方のケースの内側に設けられた内側板を備え、前記係止部材は、前記内側板と一体的に成型されていることを特徴としている。
【００２７】
このように、請求項９に記載の発明は、他方のケースの内側に内側板を備え、係止部材は内側板と一体的に成型されている。そのため部品点数を減らすようになっている。
【００２８】
【発明の実施の形態】
以下、携帯機器であるコンパクトカメラに本発明に係るストラップ装着部材を取り付ける取付構造について図１から図４を参照しながら説明する。
【００２９】
図１及び図２は本発明の実施の形態におけるコンパクトカメラ１の正面図及び側面図を示したものである。本実施形態における横長のコンパクトカメラ１には、第一ケース２と第二ケース３とが備えられ、第一ケース２と第二ケース３とが接合することにより、筐体１ａが形成されるようになっている。
【００３０】
このコンパクトカメラ１の正面一端寄りには、撮影レンズ１ｂが備えられており、また筐体１ａの上面左には、シャッタボタン４が備えられている。
【００３１】
筐体１ａの左側面中央には、ストラップ装着部材５が取り付けられており、このストラップ装着部材５には、図３に示すようにストラップが装着される装着用孔６ａが形成されたストラップ装着部６が設けられている。
【００３２】
ストラップ装着部材５には、ストラップ装着部６の底面の幅よりも小径な円筒状の突起部７が設けられており、筐体１ａを構成する第一ケース２には、この突起部７が挿通される挿通孔８が形成されている。この突起部７の外周面上には、ストラップ装着部材５を第一ケース２に係止するために、外周を一周する溝９が形成されている。
【００３３】
また筐体１ａを構成する第二ケース３の内側には、筐体１ａ内部の部品を外部から見えないようにするための内側板１０が、ケースの接合時において第一ケース２の内側に入り込むように第一ケース２側に突出して設けられている。この内側板１０には、各ケースを接合する際に、第二ケース３に対する第一ケース１の相対的な嵌め合わせ方向に移動することにより、予め第一ケース２の挿通孔８に挿入された突起部７の溝９に受け入れられ、突起部７の係止を行う係止部材１１が一体的に成型されている。
【００３４】
この係止部材１１は、内側板１０の端部から、第二ケース３を第一ケース２側に嵌め合わせる際の嵌め合わせる方向に向って延設され、延設方向の先端部は二股に形成されるとともに、二股部の間で溝９と係合するようになっている。
【００３５】
また、係止部材１１は、その延設方向の中央部が第一ケース２の内面に近接するように曲成されており、突起部７に対して第一ケース２の内面から離れる方向に付勢するバネ性を有している。
【００３６】
次に、本実施形態の作用について説明する。
まず、ストラップ装着部材５に設けられた突起部７を第一ケース２に設けられた挿通孔８に挿通させ、ストラップ装着部６を第一ケース２上に配置する。そして第一ケース２と第二ケース３とを互いに嵌め合わせて接合する。
【００３７】
これに伴い、内側板１０に一体的に成型された係止部材１１は、各ケースを接合する際に、第二ケース３に対する第一ケース２の相対的な接近移動により、第一ケース２の内側に位置する突起部７の溝９に受け入れられ、二股部の間で溝９と係合し、そして突起部７の係止を行う。
【００３８】
また係止部材１１は、そのバネ性により、突起部７に対して第一ケース２の内面から離れる方向に付勢する。
【００３９】
本実施形態によれば、第一ケース２と第二ケース３とを嵌め合わせて接合する際に同時に、係止部材１１は、溝９に受け入れられ、ストラップ装着部材５を係止する。これによりストラップ装着部材５の取り付けが簡単で、かつ組み付け工数を減らすという効果を得ることができる。また、本実施形態によれば、ストラップ装着部材５を筐体１ａに取り付けるための係止部材１１が、第二ケース３に設けられた内側板１０と一体的に成型されているので、ビスやＥリング等の部品が不要になり、部品点数を減らすことができるという効果を得ることができる。
【００４０】
また、係止部材１１は、突起部７に対して第一ケース２の内面から離れる方向に付勢するバネ性を有しており、ストラップ装着部材５に適度な負荷をかけることができる。そのためストラップ装着部材５が容易に回動してしまうことを防ぐことができ、筐体１ａに振動が加わった場合であっても音の発生を低減することができるという効果を得ることができる。
【００４１】
なお、本実施の形態では、コンパクトカメラにストラップ装着部材を備え付ける構成としたが、ストラップ装着部材を取り付ける携帯機器はこれに限られず、例えば、デジタルカメラ、電子辞書、電子学習機、携帯電話、ポケットＰＣ、モバイルＰＣ、電子文具、学習用・教育用電卓、電子レジッター、液晶テレビ、液晶デバイス、ビジネスソリューション、携帯型領収書発行機等であって第一ケースと第二ケースとを接合させて筐体とする携帯機器であればよい。
【００４２】
【発明の効果】
以上説明したように、請求項１に記載の発明によれば、各ケースを互いに嵌め合わせて接合する際の他方のケースに対する一方のケースへの相対的な移動に伴って係止部材はストラップ装着部材を係止することができる。そのため、ストラップ装着部材を係止する工程と、各ケースを嵌め合わせる工程とを同時に行うことができるという効果がある。
【００４３】
また請求項２に記載の発明によれば、ストラップ装着部材に突起部が設けられストラップ装着部材に突起部が設けられ、他方のケースに係止部が設けられているので、各ケースを互いに嵌め合わせて接合する際の他方のケースに対する一方のケースへの相対的な移動に伴って、係止部は突起部を係止することができる。そのため、突起部を係止する工程と、各ケースを嵌め合わせる工程とを同時に行うことができるという効果がある。
【００４４】
また、請求項２に記載の発明によれば、突起部に係止部を受け入れる被係止部が形成されているので、他方のケースに設けられた係止部は、各ケースを互いに嵌め合わせて接合する際の他方のケースに対する一方のケースへの相対的な移動に伴って、被係止部に受け入れられ、突起部を係止することができる。そのため、突起部を係止する工程と、各ケースを嵌め合わせる工程とを同時に行うことができるという効果がある。
【００４５】
さらに、請求項３に記載の発明によれば、突起部に係止部材を受け入れる被係止部が形成されているので、他方のケースに設けられた係止部材は、各ケースを互いに嵌め合わせて接合する際の他方のケースに対する一方のケースへの相対的な移動に伴って、被係止部に受け入れられ、前記突起部を係止することができる。そのため突起部を係止する工程と、各ケースを嵌め合わせる工程とを同時に行うことができるという効果がある。
【００４６】
また、請求項４に記載の発明によれば、係止部材を各ケースの接合する際の一方のケースに対する他方のケースの相対的な移動方向に延設し、被係止部に係止部材を受け入れる凹部を形成しているので、他方のケースに設けられた係止部材は、各ケースを接合する際の他方のケースに対する一方のケースへの相対的な移動に伴って、凹部に受け入れられ、突起部を係止することができる。そのため、突起部を係止する工程と、各ケースを嵌め合わせる工程とを同時に行うことができるという効果がある。また簡単に係止部材を突起部に取り付けることができるという効果がある。
【００４７】
また、請求項５に記載の発明によれば、係止部材を各ケースの接合する際の一方のケースに対する前記他方のケースの相対的な移動方向に延設し、被係止部に係止部材を受け入れる凹部を有する溝を形成しているので、他方のケースに設けられた係止部材は、各ケースを接合する際の他方のケースに対する一方のケースへの相対的な移動に伴って、溝の凹部に受け入れられ、突起部を係止することができる。そのため、突起部を係止する工程と、各ケースを嵌め合わせる工程とを同時に行うことができるという効果がある。また簡単に係止部材を突起部に取り付けることができるという効果がある。
【００４８】
また、請求項６に記載の発明によれば、係止部材を各ケースの接合する際の一方のケースに対する前記他方のケースの相対的な移動方向に延設し、被係止部に係止部材を受け入れる突起部の外周面上を一周した溝を形成しているので、突起部の回動動作にかかわらず、他方のケースに設けられた係止部材は、各ケースを接合する際の他方のケースに対する一方のケースへの相対的な移動に伴って、溝に受け入れられ、突起部を係止することができる。そのため、突起部を係止する工程と、各ケースを嵌め合わせる工程とを同時に行うことができるという効果がある。また簡単に係止部を突起部に取り付けることができるという効果がある。
【００４９】
また、請求項７に記載の発明は、突起部に係止部材を受け入れる被係止部が形成されているので、他方のケースに設けられた係止部材は、各ケースを互いに嵌め合わせて接合する際の他方のケースに対する一方のケースへの相対的な移動に伴って、被係止部に受け入れられ、前記突起部を係止することができる。そのため突起部を係止する工程と、各ケースを嵌め合わせる工程とを同時に行うことができるという効果がある。特に、係止部材の二股部の間を突起部の溝に係合させることで、ストラップ装着部材を筐体に回動自在に取り付けることができるという効果がある。
【００５０】
また、請求項８に記載の発明によれば、突起部に負荷を加えることができる。そのため、ストラップ装着部材が容易に回動してしまうことを防ぐことができ、筐体に振動が加わった場合であっても、ストラップ装着部材と筐体との衝突音等の音の発生を低減することができるという効果がある。
【００５１】
また、請求項９に記載の発明は、各ケースを互いに嵌め合わせて接合する際の他方のケースに対する一方のケースへの相対的な移動に伴って係止部材はストラップ装着部材を係止することができる。そのため、ストラップ装着部材を係止する工程と、各ケースを嵌め合わせる工程とを同時に行うことができるという効果がある。また、係止部材は内側板と一体的に形成されているので、部品点数を減らすことができるという効果がある。
【図面の簡単な説明】
【図１】第一実施形態におけるコンパクトカメラを示した正面図である。
【図２】第一実施形態におけるコンパクトカメラを示した側面図である。
【図３】第一実施形態におけるコンパクトカメラ一部を示した断面図である。
【図４】第一実施形態におけるコンパクトカメラの係止部材を示した断面図である。
【図５】従来例におけるコンパクトカメラの一部を示した断面図である。
【符号の説明】
２  第一ケース
３  第二ケース
５  ストラップ装着部材
６  ストラップ装着部
７  突起部
８  挿通孔
９  溝
１０  内側板
１１  係止部材
【図１】
2005031250.tif 000003
【図２】
2005031250.tif 000004
【図３】
2005031250.tif 000005
【図４】
2005031250.tif 000006
【図５】
2005031250.tif 000007